(57)【要約】【課題】トラフによって形成された流路に流入するスカム混入水を適切な流量にすることが可能なスカム除去方法を提供する。【解決手段】沈殿池１の外部に向かって延在し、スカム混入水が流入する流路１２４を形成するトラフ１２と、該トラフ１２に設けられスカム混入水が該流路１２４に流入する際に通過する流入口１２５と、該流入口１２５を開閉する蓋体１４と、前記沈殿池１の外部に設けられ該流路１２４を通って流れてきたスカム混入水を排出するポンプ１６１とを備えたスカム除去装置１０を用いてスカムを除去するスカム除去方法において、前記蓋体１４を開く開ステップと、前記蓋体１４を閉じる閉ステップとを有し、前記開ステップおよび前記閉ステップを、前記蓋体１４が開かれたことで前記流路１２４に流入するスカム混入水の流入量が、前記ポンプ１６１が排出する排出量を超えないように実行する。【選択図】図３
2018114500.tif 000002
【特許請求の範囲】
【請求項１】
沈殿池の外部に向かって延在し、スカム混入水が流入する流路を形成するトラフと、該トラフに設けられスカム混入水が該流路に流入する際に通過する流入口と、該流入口を開閉する蓋体と、前記沈殿池の外部に設けられ該流路を通って流れてきたスカム混入水を排出する排出手段とを備えたスカム除去装置を用いてスカムを除去するスカム除去方法において、
前記蓋体を開く開ステップと、
前記蓋体を閉じる閉ステップとを有し、
前記開ステップおよび前記閉ステップを、前記蓋体が開かれたことで前記流路に流入するスカム混入水の流入量が、前記排出手段が排出する排出量を超えないように実行することを特徴とするスカム除去方法。
【請求項２】
前記開ステップは、前記蓋体を、前記流入量が前記排出量を超えない範囲まで開くステップであることを特徴とする請求項１記載のスカム除去方法。
【請求項３】
前記沈殿池の水位が変化しても該沈殿池の水面から所定距離水中に没した位置に、前記トラフに接続した堰の上端部分を維持させ、該堰の上端部分よりも上流側にあるスカム混入水を該堰の上端部分を越えさせて該堰の上端部分よりも下流側に呑み込む呑み込みステップを有し、
前記堰の上端部分よりも下流側に呑み込まれたスカム混入水を、前記開ステップを実行することで、前記流入口から前記流路に流入させることを特徴とする請求項１又は２記載のスカム除去方法。
【発明の詳細な説明】
【技術分野】
【０００１】
本発明は、沈殿池の水面に浮かぶスカムが混入したスカム混入水を沈殿池の外部に向けて流すスカム除去装置を用いて、スカムを除去するスカム除去方法に関する。
【背景技術】
【０００２】
下水処理施設に設けられる沈殿池には、水面にスカムが浮遊してしまうことがある。スカムが水面に浮遊していると浄化処理の妨げになるため、スカムを除去するスカム除去装置を沈殿池に設けることがある。このスカム除去装置として、上端部分が水面に浮かんだ堰と、その堰の上端部分を所定のタイミングで水没させる機構と、上端部分が水没した堰を越えたスカム混入水を沈殿池の外部に向けて流す流路を形成するトラフとを備えたものが存在する。このようなスカム除去装置として、たとえば特許文献１および特許文献２に記載されたものが知られている。流路を流れて沈殿池の外部に流されたスカム混入水は、ポンプによって汲み上げられ、スカムを取り除く所定の処理が行われる。
【先行技術文献】
【特許文献】
【０００３】
【特許文献１】特開平７−３０５３２５号公報
【特許文献２】特開平９−１３１５８９号公報
【発明の概要】
【発明が解決しようとする課題】
【０００４】
特許文献１および特許文献２に記載されたスカム除去装置は、堰の上端部分を水没させたときの、水面からその上端部分までの距離によって流路に流入するスカム混入水の流量が定まるものである。しかしながら、特許文献１および特許文献２に記載されたスカム除去装置では、上端部分が水面に浮かんだ堰を所定のタイミングで機構によって水中に下げてその堰の上端部分を水没させている。このため、その機構の動作精度や摩耗による劣化などによって、上端部分が水没した堰の上端部分から水面までの距離が変化してしまうという問題がある。特に、特許文献２に記載されたスカム除去装置は、堰の上端部分を水没させる機構を水中に設けている。このため、水中の汚物によって機構の動作が阻害され、堰の水没動作が不安定になってしまう可能性がある。さらに、特許文献１や特許文献２に記載されたスカム除去装置では、流路に流入するスカム混入水の流量とスカム混入水を汲み上げるポンプの汲み上げ流量との関係が考慮されていない。このため、ポンプの汲み上げ流量を越えたスカム混入水が流路に流入し、スカム混入水が流路から溢れてスカムを沈殿池から除去できなくなってしまう虞がある。また、流路に流入したスカム混入水をポンプを用いないで自然流下によりスカム除去装置の外に排出する場合もある。この場合も、自然流下によってスカム除去装置の外に排出される流量を越えたスカム混入水が流路に流入すると、スカム混入水が流路から溢れてスカムを沈殿池から除去できなくなってしまう虞がある。
【０００５】
本発明は上記事情に鑑み、トラフによって形成された流路に流入するスカム混入水を適切な流量にすることが可能なスカム除去方法を提供することを目的とする。
【課題を解決するための手段】
【０００６】
上記目的を解決する本発明のスカム除去方法は、
沈殿池の外部に向かって延在し、スカム混入水が流入する流路を形成するトラフと、該トラフに設けられスカム混入水が該流路に流入する際に通過する流入口と、該流入口を開閉する蓋体と、前記沈殿池の外部に設けられ該流路を通って流れてきたスカム混入水を排出する排出手段とを備えたスカム除去装置を用いてスカムを除去するスカム除去方法において、
前記蓋体を開く開ステップと、
前記蓋体を閉じる閉ステップとを有し、
前記開ステップおよび前記閉ステップを、前記蓋体が開かれたことで前記流路に流入するスカム混入水の流入量が、前記排出手段が排出する排出量を超えないように実行することを特徴とする。
【０００７】
前記開ステップは、前記蓋体を、前記流入量が前記排出量を超えない範囲まで開くステップであってもよい。
【０００８】
また、上記スカム除去方法において、前記沈殿池の水位が変化しても該沈殿池の水面から所定距離水中に没した位置に、前記トラフに接続した堰の上端部分を維持させ、該堰の上端部分よりも上流側にあるスカム混入水を該堰の上端部分を越えさせて該堰の上端部分よりも下流側に呑み込む呑み込みステップを有し、
前記堰の上端部分よりも下流側に呑み込まれたスカム混入水を、前記開ステップを実行することで、前記流入口から前記流路に流入させてもよい。
【発明の効果】
【０００９】
本発明のスカム除去方法によれば、トラフによって形成された流路に流入するスカム混入水を適切な流量にすることができる。
【図面の簡単な説明】
【００１０】
【図１】本発明のスカム除去方法に用いるスカム除去装置１０が設置された沈殿池１の一例を示す平面図である。
【図２】図１のＡ−Ａ断面図である。
【図３】図２のＢ部を拡大して示したＢ部拡大図である。
【図４】図３に示す堰と、トラフと、接続部材と、蓋体の概略斜視図である。
【図５】トラフと蓋体を図３における左側から見た側面図である。
【図６】スカムピットを示す断面図である。
【図７】他の実施形態のスカム除去装置におけるスカムピットを示す断面図である。
【発明を実施するための形態】
【００１１】
以下、図面を参照して本発明の実施の形態を説明する。
【００１２】
図１は、本発明のスカム除去方法に用いるスカム除去装置１０が設置された沈殿池１の一例を示す平面図である。また、図２は、図１のＡ−Ａ断面図である。なお、図１では、図２に示す汚泥掻寄機３０を省略している。また、図１および図２では、図３に示す開閉機構１５を省略している。
【００１３】
図１に示すように、沈殿池１は、一対の側壁１ａと、上流壁１ｂと、下流壁１ｃによって囲まれた、平面視で略長方形状をした池である。この沈殿池１は、図１において左側から沈殿池１に流入した水に含まれる汚泥やスカムを取り除くためのものである。汚泥とスカムが取り除かれた水は、図１において右側に配置された排水樋４０を通って図示しない排水路に流れ、沈殿池１の外部に排水される。以下、図１における左方向を上流方向と称し、図１における右方向を下流方向と称することがある。また、図１における上下方向を幅方向と称することがある。
【００１４】
図２に示すように、この沈殿池１には、スカム除去装置１０と、汚泥掻寄機３０と、排水樋４０と、汚泥ピット５０とが設けられている。汚泥掻寄機３０は、沈殿池１の幅方向両端部に設けられ、沈殿池１内を循環運動する一対のチェーン３１と、その一対のチェーン３１の間に掛け渡された複数のフライト板３２と、各チェーン３１毎に４つ配置されたスプロケット３３とを備えている。スプロケット３３のうちの一つは、図示しないモータによって図２において時計回りに回転駆動されている。チェーン３１は、スプロケット３３の回転に伴って図２において時計回りに回転している。フライト板３２も、チェーン３１とともに図２において時計回りに回転している。沈殿池１の池底部に沈殿した汚泥は、沈殿池１の池底部近傍において沈殿池１の上流方向に移動しているフライト板３２によって汚泥ピット５０に掻き寄せられる。汚泥ピット５０に掻き寄せられた汚泥は、図示しない汚泥ポンプによって沈殿池１の外部に排出される。また、沈殿池１の水面Ｗの近傍で、沈殿池１の下流方向に移動しているフライト板３２は、上端部が水面から突出し、下端部が水中に没している。沈殿池１の水面Ｗに浮かんだスカムは、沈殿池１の水面Ｗ近傍にあるフライト板３２によって後述する堰１１に向けて移送される。
【００１５】
図３は、図２のＢ部を拡大して示したＢ部拡大図である。また、図４は、図３に示す堰１１と、トラフ１２と、接続部材１３と、蓋体１４の概略斜視図である。また、図５は、トラフ１２と蓋体１４を図３における左側から見た側面図である。
【００１６】
図３に示すように、スカム除去装置１０は、堰１１と、トラフ１２と、堰１１およびトラフ１２を接続する接続部材１３と、蓋体１４と、蓋体１４を開閉する開閉機構１５と、スカムピット１６とを備えている。
【００１７】
図３および図４に示すように、接続部材１３は、固定板１３１と、側板１３２と、シール部材１３３と、堰用ヒンジ１３４とから構成されている。固定板１３１は、板底部分１３１ａと、その板底部分１３１ａの幅方向両端部に設けられた一対の側板部分１３１ｂとから構成されている。また、シール部材１３３は、底面部分１３３ａと、その底面部分１３３ａの幅方向両端部に設けられた一対の側面部分１３３ｂとから構成されている。なお、図３では紙面と直交する方向が幅方向となる。また、側板１３２は、堰１１の幅方向両端面に溶接された一対の金属板である。固定板１３１は、金属板を曲げ加工したものである。固定板１３１の下流方向の端面は、接合部分から水が進入できないように溶接によりトラフ１２に接合されている。シール部材１３３における下流方向の端部は、接着部分から水が進入できないように固定板１３１に接着されている。このシール部材１３３は、ゴム製のシート材で構成されている。なお、シール部材１３３を構成する部材は、軟性を有するシート材であればよく、たとえばビニル樹脂製のシート材であってもよい。
【００１８】
堰１１は、内部に空間を有する三角柱形状部分１１ｂと、その三角柱形状部分１１ｂから下流方向に突出した突出面部分１１ｃとから構成されている。また、堰１１の幅方向両端面は、一対の側板１３２によって覆われており、堰１１の三角柱形状部分１１ｂの内部に水が進入できないように堰１１と各側板１３２とは溶接によって接合されている。なお、堰１１と側板１３２とを、たとえば一枚の金属板を曲げ加工することで一体に成形してもよい。
【００１９】
シール部材１３３の側面部分１３３ｂにおける上流方向の端部は、接着部分から水が進入できないように側板１３２に接着されている。また、シール部材１３３の底面部分１３３ａにおける上流方向の端部は、接着部分から水が進入できないように堰１１の突出面部分１１ｃに接着されている。堰１１の突出面部分１１ｃは、堰用ヒンジ１３４によって回転自在に固定板１３１の板底部分１３１ａに取り付けられている。この堰用ヒンジ１３４は、シール部材１３３の底面部分１３３ａを挟み込むように、堰１１の突出面部分１１ｃと固定板１３１の板底部分１３１ａに図示しないボルトで固定されている。図４に示すように、シール部材１３３の側面部分１３３ｂは、堰１１の回転動作を妨げないようにジャバラ状に折りたたまれている。
【００２０】
堰１１は、水面Ｗから所定距離水中に没するように浮力が調整されたものである。堰１１の浮力によって、沈殿池１の水位にかかわらず水面Ｗから堰１１の上端部分１１ａまでの距離は常に一定に維持されている。本実施形態では、上端部分１１ａが水面Ｗから２５ｍｍの距離水中に没するように堰１１の浮力が調整されている。以下の説明では、水面Ｗから堰１１の上端部分１１ａまでの距離を呑み込み水深と称する。たとえば、図３の二点鎖線で示す位置に水面Ｗの位置（沈殿池１の水位）が変動した場合、堰１１は、水面Ｗの変動に伴い二点鎖線で表す位置に移動する。従って、呑み込み水深は常に２５ｍｍになる。
【００２１】
堰１１の上端部分１１ａよりも下流側の上面と接続部材１３の内側面によって、堰１１を越えた沈殿池の水が溜まる呑込領域１３０が形成されている。固定板１３１の側板部分１３１ｂの上端部分とシール部材１３３の側面部分１３３ｂの上端部分と側板１３２の上端部分それぞれは、水面Ｗよりも上に突出している。このため、固定板１３１の側板部分１３１ｂ、シール部材１３３の側面部分１３３ｂまたは側板１３２を越えて沈殿池１の水が呑込領域１３０に進入することはない。すなわち、堰１１の上端部分１１ａを越えた水のみが、呑込領域１３０に流入可能な構成になっている。この構成によって、沈殿池１の水面Ｗ付近に存在するスカムを効率よく呑込領域１３０に流入させることができる。
【００２２】
トラフ１２は、上流側側板１２ａと、下流側側板１２ｂと、上流側側板１２ａと下流側側板１２ｂを繋ぐ底板１２ｃとを備えており、図３に示すように、上方が開口した略コの字形状をしている。上流側側板１２ａと下流側側板１２ｂと底板１２ｃとは一枚の金属板を曲げ加工して成形したものであるが、それぞれ別体で成形して溶接などで接合したものであってもよい。トラフ１２は、沈殿池１の幅方向に延在しており、トラフ１２の内周面によって、スカムが混入したスカム混入水を沈殿池１の外部に向けて流す流路１２４が形成されている。また、トラフ１２は沈殿池１の外部に設けられたスカムピット１６（図１参照）まで延在している。トラフ１２の底板１２ｃは、沈殿池１の外部に向かってほんの少し下方に傾斜している。図３に示すように、トラフ１２の上流側側板１２ａの上側部分は、上方に向かって下流方向に約１５度傾斜した傾斜面となっている。その傾斜面には、堰１１の上端部分１１ａを越えたスカム混入水が流路１２４に流入する際に通過する流入口１２５が設けられている。
【００２３】
図５に示すように、トラフ１２の上流側側板１２ａには、下辺と側辺をつなぐ部分にＲ部を有する略長方形状をした３つの流入口１２５が、幅方向に並べて設けられている。流入口１２５は、１つであってもよいが、３つに分割することで各流入口１２５を閉塞する各蓋体１４を小さくすることができる。蓋体１４が大きいと、蓋体１４に生じる歪みが大きくなりやすい。蓋体１４を小さくし、蓋体１４に生じる歪みを小さくすることで蓋体１４による流入口１２５の密閉性を高めることができる。この流入口１２５の上辺は、沈殿池１の水位が最も高くなったときの水面Ｗ（図５において実線で表した水位）が位置する面よりも、上になる位置に設けられている。また、流入口１２５の下辺は、沈殿池１の水位が最も低くなったときの水面Ｗ（図５において二点鎖線で表した水位）が位置する面よりも、下になる位置に設けられている。なお、図示しない管理システムによって沈殿池１に流入する水の流量は管理されており、沈殿池１の水面Ｗの位置の変動は最大５０ｍｍ程度である。
【００２４】
流入口１２５からは、堰１１の上端部分１１ａを越えて呑込領域１３０に流入するスカム混入水の流量以上の流量のスカム混入水が、流路１２４に通過可能である。すなわち、３つの流入口１２５の合計開口面積を、堰１１の幅方向の長さに呑み込み水深を乗じた面積以上の面積となるようにしている。このような開口面積にすることで、流路１２４に流入するスカム混入水の、スカムの混入率を高めることができる。これは、蓋体１４を開放したときに、呑込領域１３０に流入するスカム混入水の流量以上の流量のスカム混入水が呑込領域１３０から流入口１２５を通過して流出し、呑込領域１３０に存在するスカム混入水の水位が下がるからである。スカム混入水の水位が下がると、沈殿池１の水面Ｗ付近に浮かんだスカムを効率的に呑込領域１３０に流入させることができ、また呑込領域１３０の水面付近のスカム混入水をより多く流入口１２５から流路１２４に流入させることができる。
【００２５】
なお、流入口１２５上辺と下辺の間の距離ｈは、呑み込み水深（ここでは２５ｍｍ）の１．５倍以上とすることが望ましい。このようにすることで、流入口１２５の幅方向の長さを短くしても流路１２４に流入するスカム混入水の流量を確保できる。流入口１２５の幅方向の長さを短くした場合、蓋体１４に必要な幅方向の長さが短くなり、幅方向の歪みの小さな蓋体１４を使用して高い密閉性で流入口１２５を閉塞することができるようになる。
【００２６】
図４に示すように、流入口１２５には、その側辺と下辺を取り囲む様にパッキン１２６が設けられている。蓋体１４によって流入口１２５を閉塞したときに、蓋体１４とパッキン１２６が接触するので、蓋体１４と流入口１２５の間の密閉性を高めることができる。なお、このパッキン１２６は、蓋体１４との接触部分が中空円柱状をしたＰパッキンである。
【００２７】
各流入口１２５を開閉する３つの蓋体１４は、取付高さ調整用の台座１４７を介してトラフ１２の上流側側板１２ａに固定された蓋体用ヒンジ１４１によって回転自在に上流側側板１２ａに取り付けられている。蓋体１４は、水面Ｗよりも高い位置に上端部を有している。また蓋体１４が流入口１２５を閉塞した状態では、蓋体１４の下端部は水面Ｗよりも低い位置にある。蓋体１４は、流入口１２５を閉塞している状態において水中に没している下側部分を、水面側である上方に移動するように回転させることで流入口１２５を開放する構成である。この構成とすることで、蓋体１４を少し開くだけで、呑込領域１３０に溜まったスカム混入水を、流路１２４に流入させることができる。
【００２８】
図３に示すように、蓋体１４には、その蓋体１４を開閉する開閉機構１５が接続されている。この開閉機構１５は、３つの蓋体１４それぞれに１つづつ設けられている。開閉機構１５は、電動弁１５１と、貯水タンク１５２と、支点１５３、第１リンク１５４、第２リンク１５５、第３リンク１５６とから構成されている。第３リンク１５６は、蓋体１４に対して回転自在に連結されており、各リンクそれぞれはお互いに回転自在に連結されている。電動弁１５１には、下水処理場で処理を施した水を送る配管が接続されており、電動弁１５１を開くと、配管から貯水タンク１５２に水が供給される。貯水タンク１５２は、図示しない小孔が下部に設けられている。この小孔は、貯水タンク１５２内の水を少量づつ排出するためのものである。貯水タンク１５２の水が少なくなると、貯水タンク１５２の重さによって生じる回転モーメントが減少して第１リンク１５４が図３において反時計回りに回動し、開閉機構１５および蓋体１４は図３で実線で示した位置になる。
【００２９】
電動弁１５１は、図示しないタイマからの信号に応じて、たとえば１時間間隔で３分間開放される。なお、タイマを調整することで、この時間間隔と開放する時間は任意に設定できる。各蓋体１４に接続された開閉機構１５は、同一のタイマからの信号に応じて自動的に動作するものであり、３つの開閉機構１５はほぼ同時に開閉動作する。なお、各蓋体１４それぞれに開閉機構１５を設けずに、一つの開閉機構１５で３つの蓋体１４を同時に動作させる構成としてもよい。電動弁１５１を開放すると、貯水タンク１５２に水が流入し、その流入した水によって貯水タンク１５２の重量が増加する。貯水タンク１５２の重量が所定量を超えると、支点１５３を中心にして第１リンク１５４が図３において時計回りに回転し、第２リンク１５５と第３リンク１５６が上方に持ち上がる。そして、蓋体用ヒンジ１４１の回転中心を中心として図３に破線で示す位置に蓋体１４が回転し、流入口１２５は開放される。開放された流入口１２５から流路１２４に流入したスカム混入水は、図１に示すスカムピット１６に流れていく。
【００３０】
図６は、スカムピット１６を示す断面図である。
【００３１】
スカムピット１６は、スカムピット１６の底面近傍に吸い込み口１６２を有するポンプ１６１を備えている。このポンプ１６１は、スカムピット１６に溜まったスカム混入水を汲み上げてスカム除去装置の外に排出するものである。すなわち、本実施形態におけるポンプ１６１は、排出手段の一例に相当し、このポンプ１６１までがスカム除去装置であって、ポンプ１６１よりも下流側がスカム除去装置の外に相当する。スカムは水面に浮きやすいため、スカムを効率的に汲み上げるためには吸い込み口１６２が設けられている位置にスカム混入水の水面がくることが望ましい。本実施形態の３つの流入口１２５から流路１２４に流入するスカム混入水の合計流量は、ポンプ１６１が汲み上げる汲み上げ流量以下となるように制限されている。すなわち、３つの流入口１２５の合計開口面積を、流路１２４に流入するスカム混入水の合計流量がポンプ１６１によって汲み上げられる汲み上げ流量以下となるような面積にしている。この流入口１２５を設けることで、流路１２４に流入するスカム混入水の流量を制限し、スカムピット１６内のスカム混入水の水面を吸い込み口１６２のある位置に維持することができる。また、スカム混入水が流路１２４から溢れて沈殿池１に逆流してしまうことも確実に防止できる。以上説明したように、本実施形態のスカム除去装置１０によれば、トラフ１２によって形成された流路１２４に流入するスカム混入水を適切な流量にすることができる。また、本実施形態のスカム除去装置１０では、貯水タンク１５２に流入する水によって蓋体１４を開閉駆動しているので、蓋体１４を開閉するアクチュエータなどの新たな動力源を必要としない（いわゆる無動力）。また、堰１１の浮力によって呑み込み水深を一定にしているので、蓋体１４を開放するだけで水面から一定の深さまでの水をスカムとともに一定の流量で流路に流入させることができる。
【００３２】
本実施形態のスカム除去装置からは、沈殿池の水面に浮かぶスカムが混入したスカム混入水を該沈殿池の外部のポンプに向けて流すスカム除去装置において、前記沈殿池の外部に向かって延在し、スカム混入水が流入する流路を形成するトラフと、上端部分が前記水面から没した堰と、前記トラフに閉塞可能に設けられ、前記堰の上端部分を越えたスカム混入水が前記流路に流入する際に通過する流入口とを備え、前記流入口は、前記流路に流入するスカム混入水の流量を、前記ポンプの汲み上げ流量以下に制限するものであることを特徴とするスカム除去装置といった発明思想を導きだすことができる。なお、この発明思想においては、スカム除去装置が、必ずしもスカムピット１６を備えている必要はない。
【００３３】
次に、他の実施形態のスカム除去装置１０について説明する。以下の実施形態の説明では、先の実施形態のスカム除去装置１０の説明と重複する説明は省略する。
【００３４】
図７は、他の実施形態のスカム除去装置１０におけるスカムピット１６を示す断面図である。
【００３５】
先の実施形態は、ポンプ１６１を用いてスカムピット１６内のスカム混入水をスカム除去装置の外に排出したが、この実施形態では、排出口１６５からの自然流下によってスカム混入水をスカム除去装置の外に排出している点が異なる。図７に示すように、スカムピット１６の底面には、排出手段の一例に相当する排出口１６５が設けられている。この実施形態のスカム除去装置では、この排出口１６５までがスカム除去装置であって、排出口１６５よりも下流側がスカム除去装置の外に相当する。また、本実施形態では、３つの流入口１２５から流路１２４に流入するスカム混入水の合計流量は、排出口１６５からスカム除去装置の外に排出されるスカム混入水の流量以下となるように制限されている。すなわち、３つの流入口１２５の合計開口面積を、排出口１６５の開口面積以下となるような面積にしている。なお、本実施形態では、排出口１６５をスカムピット１６の底面に設けたが、スカムピット１６の側面に設けてもよい。
【００３６】
この実施形態でも、先の実施形態と同一の効果が得られる。また、ポンプ１６１を用いないので、消費電力が低減される。
【００３７】
本発明は上述の実施形態に限られることなく特許請求の範囲に記載した範囲で種々の変形を行うことが出来る。たとえば、本実施形態では、貯水タンク１５２に流入した水によって貯水タンク１５２の重量を変化させて蓋体１４を開閉動作させる開閉機構１５を設けたが、モータなどのアクチュエータで蓋体１４を開閉動作させてもよい。また、所定位置に移動したときのフライト板３２の動きを利用して蓋体１４を開閉動作させてもよい。また、回転式の蓋体１４を設ける例を説明したが、流入口１２５によって形成される平面に沿って移動するスライド式の蓋体１４としてもよい。さらに、スライド式の蓋体１４のスライド方向の位置をアクチュエータを用いて位置制御する構成としてもよい。スライド式の蓋体１４の位置を位置制御することで、流路１２４に流入するスカム混入水の流量を任意に調整できる。たとえば、スカムピット１６内のスカム混入水の水量に応じて蓋体１４の位置を位置制御することで、流路１２４に流入するスカム混入水の流量を調整してもよい。また、たとえば、呑み込み水深が何らかの原因で変動した場合、その変動した呑み込み水深に応じて蓋体１４の位置を位置制御して、流路１２４に流入するスカム混入水の流量を調整してもよい。また、本実施形態では、堰１１の浮力によって呑み込み水深を一定としているが、堰１１とは別体の水面に浮かぶフロートを設け、そのフロートに堰１１を吊り下げる構造としてもよい。なお、以上説明した各実施形態や変形例の記載それぞれにのみ含まれている構成要件であっても、その構成要件を他の実施形態や変形例に適用してもよい。
【００３８】
これまでに説明したスカム除去装置は、沈殿池の水面に浮かぶスカムが混入したスカム混入水を該沈殿池の外部に向けて流すスカム除去装置において、
前記沈殿池の外部に向かって延在し、スカム混入水が流入する流路を形成するトラフと、
前記沈殿池の外部に設けられ、前記流路を通って流れてきたスカム混入水をこのスカム除去装置の外に排出する排出手段と、
上端部分が前記水面から没した堰と、
前記トラフに閉塞可能に設けられ、前記堰の上端部分を越えたスカム混入水が前記流路に流入する際に通過する流入口と、
前記流入口を閉塞する蓋体を備え、
前記堰は、前記沈殿池の水位が変化しても前記水面から所定距離水中に没した位置に上端部分を維持するものであり、
前記流入口は、前記上端部分を越えるスカム混入水の流量以上の流量のスカム混入水が通過可能なものであり、
前記蓋体は、前記流入口を通過して前記流路に流入するスカム混入水の流量を調整可能なものであって、該流路に流入するスカム混入水の流量を、前記排出手段が排出する流量以下に制限するものであることを特徴とする。
【００３９】
さらに、沈殿池の水面に浮かぶスカムが混入したスカム混入水を該沈殿池の外部に向けて流すスカム除去装置において、
前記沈殿池の外部に向かって延在し、スカム混入水が流入する流路を形成するトラフと、
前記沈殿池の外部に設けられ、前記流路を通って流れてきたスカム混入水をこのスカム除去装置の外に排出する排出手段と、
上端部分が前記水面から没した堰と、
前記トラフに閉塞可能に設けられ、前記堰の上端部分を越えたスカム混入水が前記流路に流入する際に通過する流入口とを備え、
前記流入口は、前記流路に流入するスカム混入水の流量を、前記排出手段が排出する流量以下に制限するものであることを特徴としてもよい。
【００４０】
上記スカム除去装置によれば、水面から堰の上端部分までの距離が変動しても、流路に流入するスカム混入水は前記流入口によって流量が制限されるので、スカム混入水が流路から溢れてしまうことを防止できる。
【００４１】
上記スカム除去装置において、前記堰は、前記沈殿池の水位が変化しても前記水面から所定距離水中に没した位置に上端部分を維持するものであり、
前記流入口は、前記上端部分を越えるスカム混入水の流量以上の流量のスカム混入水が通過可能なものであることを特徴とする。
【００４２】
こうすることで、水位の変化にかかわらず水面から一定の深さまでの水をスカムとともに流路に流入させ、流路に流入するスカム混入水のスカム混入率を高めることができる。
【００４３】
また、上記スカム除去装置において、前記流入口は、前記トラフが延在する方向に沿って複数の開口に分割されたものであってもよい。
【００４４】
さらに、上記スカム除去装置において、前記流入口を閉塞する蓋体を備え、
前記蓋体は、前記流入口を通過して前記流路に流入するスカム混入水の流量を調整可能なものであることが好ましい。
【００４５】
流路に流入するスカム混入水の流量を調整することで、水面から堰の上端部分までの距離が何らかの原因で変動しても、その変動した距離に応じて、スカム混入水が流路に流入する流量を適切な量とすることができる。
【００４６】
また、流入口を複数の開口に分割すると、蓋体を小さくして蓋体に生じる歪みを小さすることが可能になり、蓋体による流入口の密閉性を高めることができる。
【００４７】
さらに、これまで説明したスカム除去装置は、
沈殿池の水面に浮かぶスカムが混入したスカム混入水を該沈殿池の外部に向けて流すスカム除去装置において、
前記沈殿池の外部に向かって延在し、スカム混入水が流入する流路を形成するトラフと、
上端部分が前記水面から没した堰と、
前記トラフおよび前記堰を接続する接続部材と、
前記トラフに閉塞可能に設けられ、前記堰の上端部分を越えたスカム混入水が前記流路に流入する際に通過する流入口と、
前記流入口を閉塞する蓋体とを備え、
前記接続部材は、軟性を有するシート材からなるシール部材およびヒンジを有するものであり、
前記堰は、前記ヒンジによって回動し、前記沈殿池の水位が変化しても前記水面から所定距離水中に没した位置に上端部分を維持するものであってもよい。
【００４８】
前記スカム除去装置において、前記シール部材は、底面部分、および該底面部分の
幅方向両端部に設けられた一対の側面部分とを有するものであってもよい。また、前記スカム除去装置において、前記流入口は、前記トラフが延在する方向に沿って複数の開口に分割されたものであってもよい。
【００４９】
また、これまで説明したスカム除去方法は、
沈殿池の水面に浮かぶスカムが混入したスカム混入水を該沈殿池の外部に向けて流すスカム除去装置を用いてスカムを除去するスカム除去方法において、
前記スカム除去装置は、
前記沈殿池の外部に向かって延在し、スカム混入水が流入する流路を形成するトラフと、
上端部分が前記水面から没した堰と、
前記トラフおよび前記堰を接続する接続部材と、
前記トラフに閉塞可能に設けられ、前記堰の上端部分を越えたスカム混入水が前記流路に流入する際に通過する流入口と、
前記流入口を閉塞する蓋体とを備えたものであり、
前記沈殿池の水位が変化しても前記水面から所定距離水中に没した位置に前記堰の上端部分を維持させ、該堰の上端部分よりも上流側にあるスカム混入水を該堰の上端部分を越えさせて該堰の上端部分よりも下流側に呑み込む呑み込みステップと、
前記堰の上端部分よりも下流側に呑み込まれたスカム混入水を、前記呑み込みステップの実行中に前記蓋体を開け、前記流入口から前記トラフに流入させる流入ステップとを有することを特徴としてもよい。
【００５０】
また、このスカム除去方法において、前記接続部材が、軟性を有するシート材からなるシール部材およびヒンジを有するものである前記スカム除去装置を用いてスカムを除去してもよい。
【００５１】
また、このスカム除去方法において、前記シール部材が、底面部分、および該底面部分の幅方向両端部に設けられた一対の側面部分とを有するものである前記スカム除去装置を用いてスカムを除去してもよい。
【００５２】
さらに、このスカム除去方法において、前記流入口が、前記トラフが延在する方向に沿って複数の開口に分割されたものである前記スカム除去装置を用いてスカムを除去してもよい。
【符号の説明】
【００５３】
１    沈殿池
１０    スカム除去装置
１１    堰
１２    トラフ
１２４    流路
１２５    流入口
１４    蓋体
１５    開閉機構
１６１    ポンプ
【図１】
2018114500.tif 000003
【図２】
2018114500.tif 000004
【図３】
2018114500.tif 000005
【図４】
2018114500.tif 000006
【図５】
2018114500.tif 000007
【図６】
2018114500.tif 000008
【図７】
2018114500.tif 000009